(57)【要約】【課題】天井扇風機が無通電状態から通電状態へ遷移した際にもいずれかの回転数でモータが回転し、天井扇風機を可動させることを目的とする。【解決手段】天井に固定されるシャフトと、シャフトに固定されるモータと、モータによって回転する複数の羽根と、を備えた天井扇風機において、天井扇風機の運転を制御する制御部は、運転信号を受信した信号を記憶する記憶部を備え、記憶部は、モータの回転を指示する回転制御信号のみを記憶し、電源入力部が無通電状態から通電状態へ遷移した際に、記憶部に記憶された信号に基づいて、制御部はモータの回転を制御すること。【選択図】図５
2020029782.tif 000002
【特許請求の範囲】
【請求項１】
天井に固定されるシャフトと、
前記シャフトに固定されるモータと、
前記モータによって回転する複数の羽根と、
リモコンから前記モータを制御する信号を受信する受信部と、
前記受信部が受信した信号に基づいて前記モータの回転を制御する制御部と、
電力の供給を受ける電源入力部と、を備えた天井扇風機において、
前記制御部は、前記受信部が受信した信号を記憶する記憶部を備え、
前記記憶部は、前記モータの回転を指示する回転制御信号のみを記憶し、前記電源入力部が無通電状態から通電状態へ遷移した際に、前記記憶部に記憶された信号に基づいて、前記制御部はモータの回転を制御することを特徴とする天井扇風機。
【請求項２】
前記電源入力部を通電状態又は無通電状態のいずれかに切り替える電源操作部を備えたことを特徴とする請求項１に記載の天井扇風機。
【請求項３】
前記電源操作部が通電状態の場合、前記制御部は、前記受信部が受信した前記モータの回転制御信号に基づいてモータを制御することを特徴とする請求項２に記載の天井扇風機。
【発明の詳細な説明】
【技術分野】
【０００１】
本発明は天井扇風機に関するものである。
【背景技術】
【０００２】
従来、モータ１０２に取り付けられた羽根１０３の回転を制御する装置として、無通電状態になった場合に、それまでの運転状態を記憶し、次に運転を開始した際に記憶内容によって次回起動時の運転状態を制御するものが知られていた（例えば特許文献１参照）。
【０００３】
以下、一般的な天井扇風機に関して図６を参照しながら説明する。
【０００４】
図１に示すように、中心をシャフト１０１で軸支される外転型のモータ１０２と、このモータ１０２に固定される羽根１０３とで構成されている。シャフト１０１には電源入力部１０４が通っており、モータ１０２上部にある制御部１０５に商用電源からの電源を供給している。モータ１０２上部にある制御部１０５は、電源入力部１０４から供給される電源を用いてモータ１０２を回転させる。また、電力は天井扇風機が設置されている付近の壁に取り付けられた壁スイッチを介して供給されている。モータ１０２が回転することによって天井側から鉛直下方向へ向かって風を供給する。
【０００５】
また、図７を用いて一般的な天井扇風機の回転数を調整する方法について説明する。
図７は、天井扇風機の回転制御を行うための各構成を示したブロック図である。図７に示すように、受信部１０７からの指示を受けモータ１０２の回転を制御する制御部１０５を備えている。制御部１０５は、回転数検出部１１０と回転数設定部１１１とを備えている。回転数検出部１１０は、モータ１０２の現在の回転数を検出して、回転数設定部１１１に出力している。回転数設定部１１１は、回転数設定部１１１に設定された回転数と、回転数検出部１１０から受信したモータ１０２の現在の回転数とを比較し、回転数差に応じて加減速の指示を回転数調整部１１２へ出力する。そして、回転数調整部１１２は、モータ１０２の回転数を調整する。
【０００６】
また、図８を用いて一般的な天井扇風機の無通電状態から通電状態に移行した場合の挙動について説明する。
【０００７】
天井扇風機の受信部１０７が運転モード信号を受信した場合、制御部１０５は受信した運転モード信号の通りにモータ１０２の運転を変更する。また、同時に記憶部１０８には現在の運転モードが記憶される。その後、無通電状態に切り替わった後に、再度通電されたときには、制御部１０５は記憶部１０８に記憶されている運転モードでモータ１０２の運転を開始する。例えば、天井扇風機が３速で運転していたときに壁スイッチを切って無通電状態にした後、再び壁スイッチを入れると天井扇風機は３速で運転を開始する。天井扇風機を待機状態で無通電にした場合は、再通電後に待機状態を開始する。
【先行技術文献】
【特許文献】
【０００８】
【特許文献１】特開2012-97569号公報
【発明の概要】
【発明が解決しようとする課題】
【０００９】
このような運転の記憶制御では、ユーザがリモコンから天井扇風機を停止させる指令を行っていた状態で天井扇風機が無通電状態となった場合、操作者は電源操作部の切替動作で天井扇風機を無通電状態から通電状態へ遷移させても天井扇風機の運転を再開することができないという課題が生じていた。そのため、操作者は、電源操作部を無通電状態から通電状態への切替動作を行い、且つリモコンによる風量を選択する操作が必要になっていた。
【００１０】
具体的な例を説明する。所定の風量で運転している天井扇風機に対してリモコンを用いて待機状態に移行させる。記憶部には待機状態が記憶される。ここで電源入力部を切り替えて、無通電状態から通電状態に移行させても記憶部には待機状態が記憶されているため運転が開始されない。
【００１１】
本発明は上記従来の課題を解決するもので、操作者がリモコンなどのリモコン無しで天井扇風機の運転を可能にすることを目的とする。
【課題を解決するための手段】
【００１２】
天井に固定されるシャフトと、前記シャフトに固定されるモータと、前記モータによって回転する複数の羽根と、リモコンから前記モータを制御する信号を受信する受信部と、前記受信部が受信した信号に基づいて前記モータの回転を制御する制御部と、電力の供給を受ける電源入力部と、を備えた天井扇風機において、前記制御部は、前記受信部が受信した信号を記憶する記憶部を備え、前記記憶部は、前記モータの回転を指示する回転制御信号のみを記憶し、前記電源入力部が無通電状態から通電状態へ遷移した際に、前記記憶部に記憶された信号に基づいて、前記制御部はモータの回転を制御するものであり、これにより所期の目的を達成するものである。
【発明の効果】
【００１３】
本発明によれば、天井扇風機が無通電状態から通電状態へ遷移した際、記憶部に記憶された回転制御信号に基づいて制御部がモータの回転を制御できるという効果を備える。さらに、天井扇風機の記憶部が、回転停止信号を記憶しないことで、操作者がリモコンから天井扇風機を停止させる指令を行っていた状態で天井扇風機が無通電状態となった場合においても、天井扇風機が無通電状態から通電状態へ遷移した際、いずれかの回転数でモータが回転し、天井扇風機を可動させることができるという効果を備えている。
【図面の簡単な説明】
【００１４】
【図１】本発明の実施の形態１に係る天井扇風機の断面図である。
【図２】本発明の実施の形態１に係る天井扇風機のブロック図である。
【図３】本発明の実施の形態１に係る天井扇風機のフローチャート図である。
【図４】本発明の実施の形態１に係る天井扇風機の回路図である。
【図５】本発明の実施の形態１に係る天井扇風機のフローチャート図である。
【図６】従来例に係る天井扇風機の断面図である。
【図７】従来例に係る天井扇風機のブロック図である。
【図８】従来例に係る天井扇風機のフローチャート図である。
【発明を実施するための形態】
【００１５】
以下、本発明の実施の形態を図面に基づいて説明する。ただし、以下に示す実施の形態は、本発明の技術思想を具体化するための天井扇風機を例示するものであって、本発明は天井扇風機を以下のものに特定しない。また、特許請求の範囲に示される部材を、実施例の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。
【００１６】
本発明の実施の形態に係る天井扇風機は、天井に固定されるシャフトと、シャフトに固定されるモータと、モータによって回転する複数の羽根と、リモコンからモータを制御する信号を受信する受信部と、受信部が受信した信号に基づいてモータの回転を制御する制御部と、電力の供給を受ける電源入力部と、を備えた天井扇風機において、制御部は、前記受信部が受信した信号を記憶する記憶部を備え、記憶部は、モータの回転を指示する回転制御信号のみを記憶し、電源入力部が無通電状態から通電状態へ遷移した際に、記憶部に記憶された信号に基づいて、制御部はモータの回転を制御する。
【００１７】
この構成によって、制御部の記憶部が、モータの回転を指示する回転制御信号のみを記憶する、すなわち待機状態を指示する回転停止信号を記憶しないことで、操作者がリモコンから天井扇風機の運転を待機状態とする指令を行っていた状態で電源入力部が無通電状態となった場合においても、電源入力部が無通電状態から通電状態へ遷移した際は、いずれかの回転制御信号によってモータが回転し、天井扇風機を可動させることができるという効果を備えている。
【００１８】
また、電源操作部によって、電源入力部を通電状態又は無通電状態のいずれかに切り替える構成とすることで、手元にリモコンが無い場合においても電源操作部を切り替えることで、天井扇風機の運転開始及び停止を操作することができるという効果を備えている。
【００１９】
また、電源入力部が通電状態の場合、制御部は、受信部が受信したモータの回転制御信号に基づいてモータを制御することで、操作者がリモコンを用いて風量を指示し、操作者は、天井扇風機から適切な風量の風を得ることができるという効果を備えている。
【００２０】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付している。さらに、各図面において、本発明に直接には関係しない各部の詳細については説明を省略している。
【００２１】
（実施の形態１）
図１は、天井扇風機の構成の概略構成図である。図1に示すように、本実施の形態における天井扇風機は、天井に天井扇風機を固定するためのシャフト１を備えている。シャフト１の天井側の端部には、天井と固定するための金具を備えており、金具によってシャフト１と天井とが固定されている。また、図１に示すように、シャフト１に連結された本体の内部にモータ２が内蔵され、このモータ２の回転によって回転する複数の羽根３が本体の下部に設けられている。また、図１に示すように、モータ２へ電源を供給する電源入力部４は、天井の内部を通り、シャフト１を介して本体内部のモータ２へ電力を供給している。電源入力部４の経路には電源操作部９が設けられており、電源操作部９のONとOFFを切り替えることで天井扇風機への電力の供給を供給・遮断を行う。さらに、モータ２の回転を制御する制御部５と記憶部８が本体内部に設けられている。
【００２２】
また、風速を指示するための電子端末装置としてリモコン６が設けられている。リモコン６は、所定の運転モード信号を発信する。運転モード信号は天井扇風機を所定の回転数で回転させる指示である。また、図１に示すように、天井扇風機の下部には受信部７があり、受信部７はリモコン６から発信された運転モード信号を受信する。
【００２３】
本実施の形態の天井扇風機の運転について説明する。図２に示すように、制御部５は回転数設定部１１による回転数制御を行なう。回転数設定部１１は運転モードに応じた目標回転数が設定されている。また、回転数検出部１０はモータ２の現在回転数を検出する。回転数検出部１０が検出した現在回転数と回転数設定部１１に設定されている回転数を比較し、現在回転数が設定されている回転数より小さければ回転数調整部１２にモータ２出力の増加を指示し、大きければモータ２出力の減少を指示する。回転数調整部１２によって回転数を調整したモータ２の現在回転数を再び回転数検出部１０が検出し、調整を繰り返すことで回転数を一定に保つ制御を行なっている。
【００２４】
天井扇風機の運転モードの記憶手段および記憶方法について図３を用いて以下説明する。
【００２５】
天井扇風機の制御部５は、モータ２の回転数が異なる複数の運転モードを備えている。操作者は、リモコン６によって希望の運転モードを選択する。そして、天井扇風機の受信部７が、リモコン６から発信された運転モードに対応した信号を受信する。天井扇風機の受信部７が受信した運転モードの信号は、制御部５の記憶部８に記憶される。天井扇風機の運転モードを変更するとき、操作者はリモコン６より希望の運転モードを選択することで、リモコン６から天井扇風機の受信部７に向けて運転モードに対応した信号を送信される。天井扇風機には受信部７が備わっており、受信部７がリモコン６から運転モード信号を受信し、受信した運転モード信号を制御部５に送信する。この受信した運転モード信号を基に、制御部５がモータ２の回転を制御する。また、天井扇風機が受信した運転モード信号を制御部５の記憶部８に送られる。そして、記憶部８は受信部７より受信した運転モード信号を記憶する。
【００２６】
記憶手段の実際の回路構成について図４を用いて説明する。
【００２７】
商用電源１３は天井扇風機への電源を供給している。商用電源１３にはAC電源電圧１４が流れている。AC電源電圧１４は電源入力部４を経由して天井扇風機に入力されている。AC電源電圧１４はダイオードブリッジ１５によってDC電源１６に変換される。DC電源１６はモータ２の電源に用いられている。さらにこのDC電源１６はレギュレータ１７によって５V電源１８に変換される。
【００２８】
制御部５はマイクロプロセッサー等の集積回路１９によって構成されている。また、記憶部８は記憶装置２０によって構成されている。５V電源１８は、集積回路１９と記憶装置２０の電源に用いられている。
【００２９】
次に、天井扇風機の電源が切られ、天井扇風機への電力の供給が停止した後に再度天井扇風機に電力が供給され、天井扇風機が再起動した場合の制御について説明する。
【００３０】
図４のように商用電源１３と天井扇風機との間には電源操作部９が設けられている。電源操作部９は、具体的には居室の壁面に設けられる壁スイッチがある。この電源操作部９を通電状態から無通電状態に変更した場合、天井扇風機への電力は供給されない。天井扇風機への電力が供給されないことによって、モータ２、制御部５、記憶部８への電力供給が無くなり、制御部５によって運転されていた所定の運転モードでの運転が停止する。
このとき、モータ２、制御部５、記憶部８への電力供給が停止する場合においても、電力供給が停止する際に制御部５によって運転されていた所定の運転モードは、記憶部８によって記憶されている。
【００３１】
次に電源操作部９を無通電状態から通電状態に変更された場合、モータ２、制御部５、記憶部８に電源が供給される。このとき、制御部５は、記憶部８に記憶されている運転モード信号を読み取る。制御部５は、読み取った運転モード信号に基づいてモータ２の回転を制御する。
【００３２】
この記憶方法を用いた場合の課題について図３を用いて説明する。
【００３３】
例えば、操作者が天井扇風機の運転モードを待機すなわち回転停止状態にした場合において、電源操作部９を通電状態から無通電状態に変更すると、記憶部８には待機状態を示す回転停止信号が記憶されている。このとき、電源操作部９を無通電状態から通電状態に変更し、天井扇風機への電力の供給が再開された状態においても、制御部５は、記憶部８に記憶されている待機状態を示す回転停止信号を読み取るため、制御部５は、読み取った回転停止信号に基づいてモータ２の回転を停止状態とする。そのため、操作者は、電源操作部９の切替動作のみでは、天井扇風機の運転を再開することができないという課題が生じていた。そのため、操作者は、電源操作部９を無通電状態から通電状態への切替動作を行った場合、電源操作部９による切替およびリモコン６による操作が必要になっていた。
【００３４】
そこで、この課題を解決するために、操作者が天井扇風機の運転モードを待機とした場合においても、制御部５の記憶部８がモータの回転を指示する回転制御信号のみを記憶し、すなわち、待機状態を示す回転停止信号の記憶をメモリに行わせない制御を行なう。図５に示すように、制御部５が受信部７から運転モード信号を受信すると、制御部５は、受信した運転モード信号が待機状態を示す回転停止信号か待機以外の運転モードを示す信号かを判定する。受信した運転モードの信号が回転停止信号であった場合、制御部５は、記憶部８への運転モードを記憶しない。一方、受信した運転モードの信号が回転停止信号以外の運転モードを示す信号であった場合、すなわちモータの回転を指示する回転制御信号であった場合、制御部５は、記憶部８に記憶された運転モードの信号を最新の受信した運転モードを示す信号に更新する。すなわち、上記の待機状態を示す回転停止信号を記憶部８に記憶させない制御により、リモコン６から待機状態を示す信号を受信した場合、記憶部８に記憶されている運転モードの信号は、待機に切り替わる前の運転モードの信号となる。したがって、操作者がリモコン６によって待機状態を選択している状態において、電源操作部９をOFF状態からON状態へ切り替え天井扇風機を起動した場合、天井扇風機は待機状態ではなく、待機に切り替わる前の運転モードの状態で運転を行う。
【００３５】
操作者が電源操作部９を無通電状態から通電状態に変更し、天井扇風機への電力の供給が再開された状態において、天井扇風機は待機状態であることが無く、天井扇風機が待機状態が選択される前の運転モードで運転を再開するという効果を奏する。
【００３６】
以上、説明したように本発明の実施の形態に係る天井扇風機は天井に固定されるシャフト１と、シャフト１に固定されるモータ２と、モータ２によって回転する複数の羽根３と、を備えた天井扇風機において、リモコンからモータ２を制御する信号を受信する受信部７と、受信部７が受信した信号に基づいてモータ２の回転を制御する制御部５とさらに、制御部５は、受信部７が受信したモータ２の回転停止以外の回転制御信号を記憶する記憶部８と、を備え、天井扇風機が無通電状態から通電状態へ遷移した際に記憶部８に記憶された信号に基づいて、制御部５はモータ２の回転を制御することができる。
【００３７】
また、電源操作部９によって、天井扇風機を通電状態又は無通電状態のいずれかに切り替えることが出来る。
【００３８】
また、天井扇風機が通電状態の場合、制御部５は、受信部７が受信したモータ２の回転制御信号に基づいてモータ２を制御することができる。
【産業上の利用可能性】
【００３９】
本発明に係る天井扇風機は、電源入力部とワイヤレスリモコンを併用する機器の制御に用いる技術としても有用である。
【符号の説明】
【００４０】
１    シャフト
２    モータ
３    羽根
４    電源入力部
５    制御部
６    リモコン
７    受信部
８    記憶部
９    電源操作部
１０    回転数検出部
１１    回転数設定部
１２    回転数調整部
１３    商用電源
１４    AC電源電圧
１５    ダイオードブリッジ
１６    DC電源
１７    レギュレータ
１８    ５V電源
１９    集積回路
２０    記憶装置
２１    モータ制御IC
１０１    シャフト
１０２    モータ
１０３    羽根
１０４    電源入力部
１０５    制御部
１０７    受信部
１０８    記憶部
１１０    回転数検出部
１１１    回転数設定部
１１２    回転数調整部
【図１】
2020029782.tif 000003
【図２】
2020029782.tif 000004
【図３】
2020029782.tif 000005
【図４】
2020029782.tif 000006
【図５】
2020029782.tif 000007
【図６】
2020029782.tif 000008
【図７】
2020029782.tif 000009
【図８】
2020029782.tif 000010